(57)【特許請求の範囲】
【請求項１】
循環移動する無端ベルトと、
前記無端ベルトにトナー画像を転写する第１の転写部と、
前記無端ベルトの移動方向における前記第１の転写部の下流側に設けられ、前記無端ベルトに転写された前記トナー画像を記録媒体に転写する第２の転写部と、
前記無端ベルトの移動方向における前記第２の転写部の下流側に設けられ、かつ、前記無端ベルト面に対して鉛直上方に配置され、前記無端ベルトの外周面に接する接触部材と、
前記接触部材の外周面に付着した付着物を前記接触部材から分離する分離部材と、
前記無端ベルトの移動方向における前記接触部材の下流側かつ、前記接触部材と前記第１の転写部との間に設けられ、前記分離部材によって前記接触部材から分離されて前記無端ベルトの外周面に付着した前記付着物を前記無端ベルトの外周面から除去する除去部とを有する画像形成装置。
【請求項２】
前記分離部材は、前記接触部材の回転軸方向に沿って前記接触部材の外周面に接して配置され、前記分離部材と前記接触部材との前記回転軸方向の接触端部は、前記無端ベルトの幅方向端部の内側に位置する請求項１に記載の画像形成装置。
【請求項３】
前記接触部材は、弾性力によって前記無端ベルトの外周面に押し付けられ、前記無端ベルトに張力を付与する請求項１又は２に記載の画像形成装置。
【請求項４】
循環移動する無端ベルトと、
前記無端ベルトの表面に接する接触部材と、
前記接触部材の外周面に付着した付着物を、前記接触部材から分離する分離部材と、
前記分離部材によって分離され前記無端ベルトの外周面に付着した前記付着物を前記無端ベルトの表面から除去する除去部とを備えたベルト装置。
【発明の詳細な説明】
【技術分野】
【０００１】
本発明は、画像形成装置及びベルト装置に関する。
【背景技術】
【０００２】
環状の中間転写ベルトにトナー画像を一次転写し、一次転写したトナー画像を印刷用紙等の記録媒体に二次転写する画像形成装置が知られている（例えば、特許文献１参照）。
【０００３】
特許文献１に記載の画像形成装置は、装置の小型化を目的として、中間転写ベルトに張力を付与するテンションローラを、中間転写ベルトの外周側に設けている。
【先行技術文献】
【特許文献】
【０００４】
【特許文献１】特開平９−２２２８０４号公報
【発明の概要】
【発明が解決しようとする課題】
【０００５】
本発明の目的は、無端ベルトの外周面に接する接触部材に付着している付着物を前記接触部材の下流側に設けられている無端ベルト上の付着物を除去する除去部で除去することが可能な画像形成装置及びベルト装置を提供することにある。
【課題を解決するための手段】
【０００６】
［１］循環移動する無端ベルトと、前記無端ベルトにトナー画像を転写する第１の転写部と、前記無端ベルトの移動方向における前記第１の転写部の下流側に設けられ、前記無端ベルトに転写された前記トナー画像を記録媒体に転写する第２の転写部と、前記無端ベルトの移動方向における前記第２の転写部の下流側に設けられ、かつ、前記無端ベルト面に対して鉛直上方に配置され、前記無端ベルトの外周面に接する接触部材と、前記接触部材の外周面に付着した付着物を前記接触部材から分離する分離部材と、前記無端ベルトの移動方向における前記接触部材の下流側かつ、前記接触部材と前記第１の転写部との間に設けられ、前記分離部材によって前記接触部材から分離されて前記無端ベルトの外周面に付着した前記付着物を前記無端ベルトの外周面から除去する除去部とを有する画像形成装置。
【０００７】
［２］前記分離部材は、前記接触部材の回転軸方向に沿って前記接触部材の外周面に接して配置され、前記分離部材と前記接触部材との前記回転軸方向の接触端部は、前記無端ベルトの幅方向端部の内側に位置する前記［１］に記載の画像形成装置。
【０００８】
［３］前記接触部材は、弾性力によって前記無端ベルトの外周面に押し付けられ、前記無端ベルトに張力を付与するする前記［１］又は［２］に記載の画像形成装置。
【０００９】
［４］循環移動する無端ベルトと、前記無端ベルトの表面に接する接触部材と、
前記接触部材の外周面に付着した付着物を、前記接触部材から分離する分離部材と、前記分離部材によって分離され前記無端ベルトの外周面に付着した前記付着物を前記無端ベルトの表面から除去する除去部とを備えたベルト装置。
【発明の効果】
【００１０】
請求項１，５に記載の発明によれば、無端ベルトの外周面に接する接触部材に付着している付着物を前記接触部材の下流側に設けられている無端ベルト上の付着物を除去する除去部で除去することが可能となる。
【００１１】
請求項２に記載の発明によれば、分離部材の端部で接触部材から分離した付着物を、無端ベルトの外周面に移動させることが可能となる。
【００１２】
請求項３に記載の発明によれば、無端ベルトに張力を付与する接触部材から付着物を分離することが可能となる。
【図面の簡単な説明】
【００１３】
【図１】図１は、本発明の第１の形態に係る画像形成装置の断面構成図である。
【図２】図２は、本発明の第１の形態に係るテンションローラ及びその周辺部の構成を示す概略図である。
【図３】図３は、本発明の第１の形態に係るテンションローラ及びその周辺部の構成を示す概略図である。
【図４】図４は、本発明の第２の形態に係るテンションローラ及びその周辺部の構成を示す概略図である。
【図５】図５（ａ）及び図５（ｂ）は、本発明のベルト装置の変形例を示す概略図である。
【発明を実施するための形態】
【００１４】
［第１の実施の形態］
図１は、本実施の形態に係る画像形成装置の断面構成図である。この画像形成装置１は、画像情報を受信して、記録媒体の一例としての用紙５に画像を形成する。以下、画像形成装置１の構成を詳述する。
【００１５】
画像形成装置１は、筐体６の内部の収容空間６ａに、ベルト装置３を備えている。ベルト装置３は、環状に形成された無端状の無端ベルト３０を有し、無端ベルト３０は、駆動ローラ３１、第１従動ローラ３２、第２従動ローラ３３、及びテンションローラ１０によって形成される循環経路に沿って、図１の矢印Ａの方向に循環移動する。テンションローラ１０は無端ベルト３０の外周面に接触する接触部材の一例である。
【００１６】
駆動ローラ３１は、図略の駆動モータにより回転駆動され、無端ベルト３０を駆動する。また、無端ベルト３０は、例えばポリカーボネート樹脂、ポリイミド、ポリアミドイミド等の材料から形成される。
【００１７】
駆動ローラ３１から第１従動ローラ３２に至る領域の無端ベルト３０の下方に、イエロー，マゼンタ，シアン，ブラックの４色の色ごとに４つの感光ドラム４０Ｙ，４０Ｍ，４０Ｃ，４０Ｋが配置されている。感光ドラム４０Ｙ，４０Ｍ，４０Ｃ，４０Ｋは、図略のモータにより回転駆動される。
【００１８】
感光ドラム４０Ｙ，４０Ｍ，４０Ｃ，４０Ｋの外周面に対向して帯電器４１Ｙ，４１Ｍ，４１Ｃ，４１Ｋが配置されている。帯電器４１Ｙ，４１Ｍ，４１Ｃ，４１Ｋは、感光ドラム４０Ｙ，４０Ｍ，４０Ｃ，４０Ｋの表面に均一な帯電量の電荷を与える。
【００１９】
感光ドラム４０Ｙ，４０Ｍ，４０Ｃ，４０Ｋの回転方向における帯電器４１Ｙ，４１Ｍ，４１Ｃ，４１Ｋの下流側に、露光機４２Ｙ，４２Ｍ，４２Ｃ，４２Ｋが配置されている。露光機４２Ｙ，４２Ｍ，４２Ｃ，４２Ｋは、受信した画像情報に応じて変調した光線（レーザー光）を感光ドラム４０Ｙ，４０Ｍ，４０Ｃ，４０Ｋに露光させることによって、感光ドラム４０Ｙ，４０Ｍ，４０Ｃ，４０Ｋの表面に静電潜像を形成する。
【００２０】
また、感光ドラム４０Ｙ，４０Ｍ，４０Ｃ，４０Ｋの回転方向における露光機４２Ｙ，４２Ｍ，４２Ｃ，４２Ｋの下流側に、上記４色のトナーをそれぞれ収納した現像器４３Ｙ，４３Ｍ，４３Ｃ，４３Ｋが配置されている。現像器４３Ｙ，４３Ｍ，４３Ｃ，４３Ｋは、露光機４２Ｙ，４２Ｍ，４２Ｃ，４２Ｋによって形成した静電潜像を顕像化して、感光ドラム４０Ｙ，４０Ｍ，４０Ｃ，４０Ｋの表面に上記各色のトナー画像を形成する。
【００２１】
無端ベルト３０の内周面３０ｂに接して、感光ドラム４０Ｙ，４０Ｍ，４０Ｃ，４０Ｋにそれぞれ対応して設けられた一次転写ローラ４４Ｙ，４４Ｍ，４４Ｃ，４４Ｋが配置されている。一次転写ローラ４４Ｙ，４４Ｍ，４４Ｃ，４４Ｋは無端ベルト３０を感光ドラム４０Ｙ，４０Ｍ，４０Ｃ，４０Ｋに向かって押し付けている。感光ドラム４０Ｙ，４０Ｍ，４０Ｃ，４０Ｋと一次転写ローラ４４Ｙ，４４Ｍ，４４Ｃ，４４Ｋは、第１の転写部の一例としての一次転写部４５を構成する。
【００２２】
無端ベルト３０の移動方向における一次転写部４５の下流側には、第２の転写部の一例としての二次転写部７０が配置されている。二次転写部７０は、第２従動ローラ３３と、第２従動ローラ３３との間に無端ベルト３０を挟んで配置された二次転写ローラ７１とから構成される。
【００２３】
無端ベルト３０の移動方向における二次転写部７０の下流側には、テンションローラ１０が配置されている。テンションローラ１０は、無端ベルト３０の鉛直方向上方にて無端ベルト３０の外周面３０ａに接触し、無端ベルト３０の移動方向における二次転写部７０と後述のベルトクリーナ４６との間に配置されている。テンションローラ１０は、無端ベルト３０の外周面３０ａに押し付けられ、無端ベルト３０に張力を付与している。テンションローラ１０及びその周辺部の構成については後述する。
【００２４】
無端ベルト３０の移動方向におけるテンションローラ１０の下流側には、駆動ローラ３１の外周側に配置された、除去部の一例としてのベルトクリーナ４６が設けられている。ベルトクリーナ４６は、無端ベルト３０の外周面３０ａから付着物を分離するブレード４６０と、ブレード４６０により分離された付着物を収納するハウジング４６１とを有している。ハウジング４６１に収納された付着物は、図略の搬送部材により、図略の廃トナー収容容器に搬送され、保守作業時に回収される。
【００２５】
筐体６の収容空間６ａ内の下方に、大きさや紙質等が異なる複数の種類の用紙５を収容することが可能な用紙収容部６０が配置されている。用紙収容部６０は、第１収容部６１、第２収容部６２、第３収容部６３を有し、これら第１乃至第３の収容部６１〜６３にそれぞれ異なる種類の用紙を収容可能である。
【００２６】
第１収容部６１、第２収容部６２、第３収容部６３に対応して、用紙５を取り出すためのピックアップローラ５０Ａ，５０Ｂ，５０Ｃ、及び複数の用紙５が取り出された場合にそれらを分離する分離ローラ５１Ａ，５１Ｂ，５１Ｃが設けられている。
【００２７】
また、分離ローラ５１Ａ，５１Ｂ，５１Ｃに対応して、用紙５を第１乃至第３の収容部６１〜６３から引き抜いて搬送するための引き抜きローラ５２Ａ，５２Ｂ，５２Ｃが設けられている。引き抜きローラ５２Ａ，５２Ｂ，５２Ｃは、各トレイから引き抜かれた用紙５を、搬送路５３に沿って二次転写部７０に搬送する。
【００２８】
用紙５の搬送路５３における二次転写部７０の後段部に、定着ユニット８０が配置されている。定着ユニット８０は、設定されたデューティ比のＰＷＭ信号により通電駆動されるヒーターを内蔵した定着ローラ８１と、定着ローラ８１に向かって加圧された加圧ローラ８２とを備えている。
【００２９】
定着ユニット８０の用紙５の排出側には、排出ローラ５６が配置されている。排出ローラ５６は、定着ユニット８０を通過した用紙５を筐体６の上部に形成された用紙台６４に排出するように構成されている。
【００３０】
図２及び図３は、テンションローラ１０及びその周辺部の構成を示す概略図である。図２はテンションローラ１０の回転軸方向から見た状態を示し、図３は、テンションローラ１０と無端ベルト３０との接触部の周辺を鉛直上方から見た状態を示す。テンションローラ１０は、コイルバネ１１によって無端ベルト３０の外周面３０ａに押し付けられ、テンションローラ１０の外周面１０ｃに接触するようにスクレーパ２が配置されている。スクレーパ２は分離部材の一例である。
【００３１】
テンションローラ１０は、その回転軸が無端ベルト３０の幅方向と平行になるように配置され、無端ベルト３０の循環移動に伴って、無端ベルト３０との接触部３０ｃから受ける摩擦力によって転動するように構成されている。
【００３２】
テンションローラ１０は、無端ベルト３０と接触する円筒状の本体部１０ａと、本体部１０ａの軸方向の両端部に形成され、本体部１０ａと同軸で、かつ本体部１０ａよりも径が細い軸部１０ｂとを有している。
【００３３】
コイルバネ１１は、その弾性力によってテンションローラ１０を無端ベルト３０の外周面３０ａに押し付けるように構成されている。コイルバネ１１の一端部にはリング状の支持部１１ａが設けられ、テンションローラ１０の軸部１０ｂが支持部１１ａに回転可能に支持されている。コイルバネ１１の他端部１１ｂは、筐体６に固定されている。
【００３４】
テンションローラ１０の回転軸方向に沿って、スクレーパ２が筐体６に固定されて配置されている。スクレーパ２は、弾性力によって常に先端部２ａがテンションローラ１０の外周面１０ｃに接触するように構成されている。
【００３５】
スクレーパ２の先端部２ａとテンションローラ１０の外周面１０ｃとが接触する位置は、テンションローラ１０の回転中心から水平方向に延びる直線（図２に二点鎖線Ｂで示す）よりも鉛直方向下側で、かつ無端ベルト３０とテンションローラ１０との接触部３０ｃよりもテンションローラ１０の回転方向（図２に矢印Ｃで示す）の下流側になるように構成されている。
【００３６】
図３に示すように、テンションローラ１０の本体部１０ａは、その軸方向長さが無端ベルト３０の幅よりも長く、本体部１０ａの両端部１０ｄ，１０ｅは、無端ベルト３０の両端部３０ｄ，３０ｅよりも、無端ベルト３０の幅方向の外側にはみ出している。
【００３７】
また、スクレーパ２の延伸方向の長さは無端ベルト３０の幅よりも短く、スクレーパ２の延伸方向におけるスクレーパ２の先端部２ａとテンションローラ１０の外周面１０ｃとが接触している部分の接触端部２ｂ，２ｃは、無端ベルト３０の両端部３０ｄ，３０ｅの内側に位置している。
【００３８】
テンションローラ１０は、例えばステンレス鋼等の金属から形成される。また、スクレーパ２は、例えばその厚さが０．１ｍｍで弾性を有するステンレス鋼等の金属材料から形成される。なお、図１及び図２では、スクレーパ２の厚さを誇張して表している。
【００３９】
無端ベルト３０、駆動ローラ３１、第１従動ローラ３２、第２従動ローラ３３、テンションローラ１０、コイルバネ１１、スクレーパ２、及びベルトクリーナ４６は、ベルト装置３の構成要素の一例である。
【００４０】
なお、無端ベルト３０は、使用時間又は使用回数等に応じて交換が必要である。この交換の際には、テンションローラ１０，コイルバネ１１，スクレーパ２等、上記した各構成要素とは別個に無端ベルト３０を交換できるように構成されている。
【００４１】
（画像形成装置１の動作）
次に、画像形成装置１の動作を図１及び図２を参照して説明する。画像形成装置１の受信部（図示せず）が画像情報及び画像形成動作を開始すべき指示信号を受信すると、画像形成装置１は画像形成動作を開始する。画像形成動作は、潜像形成工程、現像工程、一次転写工程、二次転写工程、定着工程の順に行われる。
【００４２】
潜像形成工程は、感光ドラム４０Ｙ，４０Ｍ，４０Ｃ，４０Ｋの表面に静電潜像を形成する工程である。この工程ではまず、帯電器４１Ｙ，４１Ｍ，４１Ｃ，４１Ｋによって感光ドラム４０Ｙ，４０Ｍ，４０Ｃ，４０Ｋの表面に均一な帯電量の電荷を与える。次に、露光機４２Ｙ，４２Ｍ，４２Ｃ，４２Ｋによって光線を露光させ、感光ドラム４０Ｙ，４０Ｍ，４０Ｃ，４０Ｋの表面に静電潜像を形成する。
【００４３】
現像工程は、潜像形成工程で形成した静電潜像をトナーにより現像し、トナー画像を形成する工程である。この工程では、現像器４３Ｙ，４３Ｍ，４３Ｃ，４３Ｋが、負極性であるトナーと正極性であるキャリアの二成分からなる現像剤を用いて、感光ドラム４０Ｙ，４０Ｍ，４０Ｃ，４０Ｋ上に形成された静電潜像との電位差に基づき、キャリアによってトナーを静電潜像へ付着させ、トナー画像を形成する。
【００４４】
一次転写工程は、現像工程で形成されたトナー画像を中間転写体としての無端ベルト３０の外周面３０ａに転写する工程である。この転写は、無端ベルト３０が一次転写部４５を通過することにより行われる。
【００４５】
二次転写工程は、無端ベルト３０の外周面３０ａに一次転写されたトナー画像を用紙５に二次転写する工程である。この転写は、二次転写部７０で行われ、二次転写ローラ７１と第２従動ローラ３３との間を、用紙５が無端ベルト３０の外周面３０ａに接触しながら、無端ベルト３０の移動に伴って通過することにより行われる。
【００４６】
定着工程は、用紙５に二次転写されたトナー画像を定着させる工程である。このトナー画像の定着は、定着ユニット８０で行われ、ヒーターによって過熱された定着ローラ８１と加圧ローラ８２との間を用紙５が通過する際に、熱と圧力によってトナーを用紙５に定着させることにより行う。定着ユニット８０を通過した用紙５は、排出ローラ５６によって用紙台６４に排出される。
【００４７】
無端ベルト３０の外周面３０ａに一次転写されたトナーの大部分は用紙５に二次転写されるが、一部のトナーは無端ベルト３０の外周面３０ａに付着したまま残留する。また、現像器４３Ｙ，４３Ｍ，４３Ｃ，４３Ｋによる現像に用いられたキャリアが無端ベルト３０の外周面３０ａに付着したまま残留することもある。
【００４８】
図２に示すように、無端ベルト３０の外周面３０ａに付着したトナーやキャリア等の付着物９は、無端ベルト３０の循環移動に伴って移動し、テンションローラ１０との接触部３０ｃに至る。付着物９の一部は、接触部３０ｃを通過する際にテンションローラ１０の外周面１０ｃに付着する。
【００４９】
スクレーパ２は、テンションローラ１０の外周面１０ｃに付着した付着物９をテンションローラ１０から分離し、無端ベルト３０の外周面３０ａの上に落下させて再付着させる。
【００５０】
無端ベルト３０の外周面３０ａに再付着した付着物９は、無端ベルト３０の循環移動に伴って移動して、ベルトクリーナ４６により無端ベルト３０から除去される。
【００５１】
以上のように、本実施の形態では、テンションローラ１０の回転不良やベルト傷の原因となり得る付着物９が、スクレーパ２によってテンションローラ１０から分離されて無端ベルト３０の外周面３０ａに再付着し、ベルトクリーナ４６によって除去される。
【００５２】
［第２の実施の形態］
図４は、本発明の第２の実施の形態に係るテンションローラ１０及びその周辺部の構成を示す概略図である。本実施の形態は、第１の実施の形態に係るスクレーパ２に替えてブラシ２１を備えた点が異なり、その他の構成については共通する。
【００５３】
ブラシ２１は、筐体６に固定された基部２１０と、基部２１０に一端が固定された刷毛２１１とを備え、刷毛２１１の先端部２１１ａがテンションローラ１０の外周面１０ｃに接触している。刷毛２１１とテンションローラ１０の外周面１０ｃとの接触領域の少なくとも一部は、テンションローラ１０の回転中心から水平方向に延びる直線（図２に二点鎖線Ｂで示す）よりも鉛直方向下側で、かつ無端ベルト３０とテンションローラ１０との接触部３０ｃよりもテンションローラ１０の回転方向（図４に矢印Ｃで示す）の下流側に位置している。
【００５４】
テンションローラ１０の外周面１０ｃに付着した付着物９は、ブラシ２１の刷毛２１１によってテンションローラ１０の外周面１０ｃから分離され、無端ベルト３０の外周面３０ａに落下して再付着する。無端ベルト３０の外周面３０ａに再付着した付着物９は、無端ベルト３０の循環移動に伴って移動し、ベルトクリーナ４６によって無端ベルト３０から除去される。
【００５５】
［他の実施の形態］
（変形例１）
図５（ａ）は、変形例１に係るベルト装置の概略の構成を示す。第１及び第２の実施の形態では、テンションローラ１０の外周面１０ｃに付着した付着物９をスクレーパ２又はブラシ２１により分離するように構成したが、本変形例では、テンションローラ以外のローラに付着した付着物を除去するように構成されている。
【００５６】
このベルト装置３Ａでは、駆動ローラ３５、第１の従動ローラ３６、テンションローラ１０Ａ、及び第２の従動ローラ１２によって無端ベルト３４の循環経路が形成され、無端ベルト３４は駆動ローラ３５の回転力によって矢印Ｄの方向に循環移動する。無端ベルト３４の内周面３４ｂには、コイルバネ１１Ａの弾性力によって外側に付勢されるテンションローラ１０Ａが接触し、無端ベルト３４に張力が付与されている。
【００５７】
第２の従動ローラ１２の外周面１２ａにはスクレーパ２Ａが接触し、第２の従動ローラ１２の外周面１２ａに付着した付着物を無端ベルト３４の外周面３４ａに再付着させる。無端ベルト３４の外周面３４ａに再付着した付着物は、無端ベルト３４の循環移動に伴って移動し、ベルトクリーナ４６により除去される。
【００５８】
ベルト装置３Ａの無端ベルト３４を中間転写体として画像形成装置１に適用する場合には、駆動ローラ３５から第１の従動ローラ３６に至る領域に一次転写部４５を配置し、無端ベルト３４の外周面３４ａにトナー画像を転写する。また、第１の従動ローラ３６を、図１に示す第２従動ローラ３３に替えて二次転写部７０を構成する。
【００５９】
（変形例２）
図５（ｂ）は、変形例２に係るベルト装置の概略の構成を示す。第１及び第２の実施の形態では、テンションローラ１０が無端ベルト３０を鉛直方向の上方から下方に押し付けるように構成したが、本変形例では、テンションローラ１３が無端ベルト３７を水平方向に押し付ける。
【００６０】
本変形例に係るベルト装置３Ｂでは、駆動ローラ３８、第１の従動ローラ３９１、第２の従動ローラ３９２、第３の従動ローラ３９３、及びテンションローラ１３によって無端ベルト３７の循環経路が形成され、無端ベルト３７は駆動ローラ３８の回転力によって矢印Ｅの方向に循環移動する。
【００６１】
無端ベルト３７の循環移動方向における駆動ローラ３８と第１の従動ローラ３９１との間に配置されたテンションローラ１３は、無端ベルト３７の外周面３７ａに接触し、無端ベルト３７の内周面３７ｂの側に位置するコイルバネ１１Ｂによって無端ベルト３７に張力を付与している。
【００６２】
テンションローラ１３の外周面１３ａにスクレーパ２Ｂが接触し、テンションローラ１３の外周面１３ａに付着した付着物を無端ベルト３７の外周面３７ａに再付着させる。無端ベルト３７の外周面３７ａに再付着した付着物は、無端ベルト３７の循環移動に伴って移動して、ベルトクリーナ４６により除去される。
【００６３】
ベルト装置３Ｂの無端ベルト３７を中間転写体として画像形成装置１に適用する場合には、第１の従動ローラ３９１から第２の従動ローラ３９２に至る領域に一次転写部４５を配置し、無端ベルト３７の外周面３７ａにトナー画像を転写する。また、第３の従動ローラ３９３を、図１に示す第２従動ローラ３３に替えて二次転写部７０を構成する。
【００６４】
本発明は、上記各実施の形態に限定されず、本発明の要旨を逸脱しない範囲で種々な変形が可能であり、例えば次に示すような変形も可能である。なお、下記では第１及び第２の実施の形態で用いた符号を援用して説明を行っている。
【００６５】
テンションローラ１０を無端ベルト３０に向かって押し付けるための付勢部材は、コイルバネ１１に限らず、ゴム等の弾性部材であってもよい。
【００６６】
また、テンションローラ１０から付着物９を分離するための分離部材は、スクレーパ２やブラシ２１に限らず、テンションローラ１０から付着物９を分離できるものであれば、その形態等に制限はない。
【００６７】
また、テンションローラ１０の本体部１０ａの軸方向長さは無端ベルト３０の幅と同じでもよい。すなわち、テンションローラ１０の回転軸方向において、本体部１０ａの両端部１０ｄ，１０ｅの径方向外側に対応する位置に無端ベルト３０の両端部３０ｄ，３０ｅが位置していてもよい。
【００６８】
また、第１及び第２の実施の形態では、画像形成装置１をカラー印刷可能なものとして構成したが、一次転写部４５を感光ドラム４０Ｋ、帯電器４１Ｋ、露光機４２Ｋ、現像器４３Ｋ、及び一次転写ローラ４４Ｋによって構成したモノクロ印刷用の画像形成装置として形成してもよい。
【００６９】
またさらに、第１及び第２の実施の形態では、ベルト装置３を画像形成装置１に適用した例について説明したが、これに限らず、ベルト装置３を例えば部品等の搬送に用いてもよい。
【符号の説明】
【００７０】
１・・・画像形成装置、１０，１０Ａ，１３・・・テンションローラ、１０ａ・・・本体部、１０ｂ・・・軸部、１０ｃ・・・外周面、１０ｄ，１０ｅ・・・端部、１１，１１Ａ，１１Ｂ・・・コイルバネ、１１ａ・・・支持部、１１ｂ・・・他端部、１２・・・従動ローラ、１２ａ・・・外周面、２，２Ａ，２Ｂ・・・スクレーパ、２ａ・・・先端部、２ｂ，２ｃ・・・両端部、２１・・・ブラシ、２１０・・・基部、２１１・・・刷毛、２１１ａ・・・先端部、３・・・ベルト装置、３０，３４，３５・・・無端ベルト、３０ａ，３４ａ，３７ａ・・・外周面、３０ｄ，３０ｅ・・・端部、３０ｂ，３４ｂ，３７ｂ・・・内周面、３０ｃ・・・接触部、３１，３５，３８・・・駆動ローラ、３２・・・第１従動ローラ、３３・・・第２従動ローラ、３９１・・・第１の従動ローラ、３９２・・・第２の従動ローラ、３９３・・・第３の従動ローラ、４０Ｙ，４０Ｍ，４０Ｃ，４０Ｋ・・・感光ドラム、４１Ｙ，４１Ｍ，４１Ｃ，４１Ｋ・・・帯電器、４２Ｙ，４２Ｍ，４２Ｃ，４２Ｋ・・・露光機、４３Ｙ，４３Ｍ，４３Ｃ，４３Ｋ・・・現像器、４４Ｙ，４４Ｍ，４４Ｃ，４４Ｋ・・・一次転写ローラ、４５・・・一次転写部、４６・・・ベルトクリーナ、４６０・・・ブレード、４６１・・・ハウジング、５・・・用紙、５０Ａ，５０Ｂ，５０Ｃ・・・ピックアップローラ、５１Ａ，５１Ｂ，５１Ｃ・・・分離ローラ、５２Ａ，５２Ｂ，５２Ｃ・・・引き抜きローラ、５６・・・排出ローラ、６・・・筐体、６ａ・・・収容空間、６０・・・トレイ部、６１・・・第１トレイ、６２・・・第２トレイ、６３・・・第３トレイ、６４・・・用紙台、７０・・・二次転写部、７１・・・二次転写ローラ、８０・・・定着ユニット、８１・・・定着ローラ、８２・・・加圧ローラ、９・・・付着物
【図１】
0005391979.tif 000002
【図２】
0005391979.tif 000003
【図３】
0005391979.tif 000004
【図４】
0005391979.tif 000005
【図５】
0005391979.tif 000006